(57)【要約】【課題】  生産ラインのライン際などの限られたスペースでもスムーズに開閉することができ、使用状態においては密閉性が高められ、また収納物品を損傷しない機能を有するとともに、保管時にスペースを節減でき、しかも軽量な、通い箱等の柔軟性蓋装置を提供する。【解決手段】  部品、器具その他の物品を収納する箱本体１１の上面の開口１２を閉じるための柔軟性蓋装置１０を提供する。箱本体１１の開口１２を覆える大きさ、形状を有する蓋本体１６を、柔軟性と弾力性を備えたシート状素材によって形成し、箱本体１１の相対する２辺部に、箱本体１１の開口１２の外側面に達する折り曲げ部２１、２２を設け、折り曲げ部２１、２２は、箱本体１１の外側面に着脱可能な取り付け手段２０を用いて固定可能にし、相対する２辺の折り曲げ部２１、２２のどちらかの取り付け手段２０を外すことによって蓋本体１６の開閉を行うものとする。【選択図】          図１
0003116074.tif 000002
【実用新案登録請求の範囲】
【請求項１】
部品、器具その他の物品を収納する箱本体の上面の開口を閉じるためのものであって、箱本体の開口を覆える大きさ、形状を有する蓋本体を、柔軟性と弾力性を備えたシート状素材によって形成し、蓋本体の相対する２辺部に、箱本体の開口の外側面に達する折り曲げ部を設け、折り曲げ部は箱本体の外側面に着脱可能な取り付け手段を用いて固定可能に
し、相対する２辺の折り曲げ部のどちらかの取り付け手段を外すことによって蓋本体の開閉を行うことを特徴とする通い箱等の柔軟性蓋装置。
【請求項２】
蓋本体は、柔軟性シートと弾力性シートとを貼り合わせて一体化したシート状素材から成る請求項１記載の通い箱等の柔軟性蓋装置。
【請求項３】
取り付け手段は、ループと、ループに掛け外し可能なフックとを有する２部材から成る面ファスナーである請求項１記載の通い箱等の柔軟性蓋装置。
【請求項４】
取り付け手段は、２部材の内、蓋本体に設けられる方の部材を延長し、延長部分を着脱操作のための操作片とした請求項３記載の通い箱等の柔軟性蓋装置。
【考案の詳細な説明】
【技術分野】
【０００１】
本考案は、部品、器具その他の物品を収納する箱本体の上面の開口を閉じるための柔軟性蓋装置に関するものである。
【背景技術】
【０００２】
特に組み立てを行う製造工場などでは、部品、器具或いはその他の物品を、倉庫から現場へ運ぶために通い箱と称される箱を使用することが行われている。通い箱は、組み立てラインのライン際に配置されることがあり、そこには様々な機器や設備も集中しているためスペースの不足する場合が多く、通い箱にも場所を取らないことが求められる。狭いスペースの中で蓋をスムーズに開閉し、収納されている部品、器具或いはその他の物品を出し入れする必要があるものであるが、従来の通い箱に用いられている蓋は１枚板構造を持ち、その一辺をヒンジにより箱本体に取り付けたものが多い。
【０００３】
例えば、特開平１０−１１９９６５号に開示されている蓋付き箱は、箱本体の上面に開閉自在な蓋部材をヒンジ部により取り付けた構成を有している。この蓋部材は、プラスチック段ボール製であると記載されているから、箱本体の上面と同大のものが片側のヒンジ部を中心に回転して開く構造であり、従って箱本体に取り付けたヒンジ部から蓋部材の開閉部までの長さよりも大きいスペースがなければ、蓋部材を開閉することができない。また、プラスチック段ボール製の部材は硬くはないが、相対的に軟質の部品等と接触すると傷付けるおそれもある。また、プラスチック段ボールは構造的に紙製の段ボールと同程度の厚さを持っており、保管のために重ねた場合、意外に場所を取るという問題がある。また、蓋部材を閉じたときにほぼ全周にわたって隙き間ができ、密閉性を期待することには無理がある。
【０００４】
【特許文献１】特開平１０−１１９９６５号
【特許文献２】実用新案登録第３００５６２０号
【考案の開示】
【考案が解決しようとする課題】
【０００５】
本考案は前記の点に着目してなされたもので、その課題はライン際などの限られたスペースでスムーズに開閉を行うことができ、密閉性が高められ、通い箱等に使用して収納物品を損傷しない柔軟性蓋装置を提供することである。また本考案の他の課題は、保管時にスペースを節減でき、しかも軽量な柔軟性蓋装置を提供することである。
【課題を解決するための手段】
【０００６】
前記の課題を解決するため本考案は、部品、器具その他の物品を収納する箱本体の上面の開口を閉じるために、箱本体の開口を覆える大きさ、形状を有する蓋本体を、柔軟性と弾力性を備えたシート状素材によって形成し、蓋本体の相対する２辺部に、箱本体の開口の外側面に達する折り曲げ部を設け、折り曲げ部は箱本体の外側面に着脱可能な取り付け手段を用いて固定可能にし、相対する２辺の折り曲げ部のどちらかの取り付け手段を外すことによって蓋本体の開閉を行うという手段を講じたものである。
【０００７】
本考案は通い箱等を対象とするものであり、通い箱等には、通い箱と呼ばれるそのもののほか、部品や器具その他、物品を収納しておくことができる箱をすべて含む。本考案の対象となる通い箱等の箱は、前述の文献にも記載のあったプラスチック製の箱や紙製の箱のほか、木製の箱、金属製の箱を含む。このような箱の内で、本考案の関係する箱は、上面が開口になっている箱本体を持つものである。
【０００８】
箱本体の開口を覆う蓋本体は、柔軟性と弾力性を備えたシート状素材から成る。柔軟性と弾力性を備えているため、収納物品に蓋本体が当たっても損傷させずに済む。このような目的、効果を満たす蓋本体は、柔軟性シートと弾力シートとを貼り合わせて一体化したシート状素材から成る複合構造を持っているものであることが望ましい。柔軟性シート
は、例えば柔軟なプラスチックフィルムやファイバーを編んだり織ったりして形成した編織シートを使用し、また弾力性シートには、例えば薄いスポンジ状構造を備えているシートを使用することができる。これら柔軟性シートと弾力性シートに接着剤を用いて、或いは用いることなく貼り合わせて一体化していることが望ましい。
【０００９】
蓋本体は柔軟性を有するので、狭いスペースの中でも蓋本体を曲げて開き或いは閉じることができるが、箱本体に蓋本体を取り付けておくために、蓋本体の相対する２辺部に折り曲げ部を設け、箱本体の外側面に、取り付け手段によって着脱可能に固定できるようになっている。折り曲げ部は、蓋本体の２辺部の全辺長に及ぶように設けることにより、開口を完全に覆い隠せるようになり、従って密閉性を高めることができる。取り付け手段は着脱可能であるから、相対する２辺の折り曲げ部のどちらか一方の取り付け手段を外すことで蓋本体を開閉できるようになる。
【００１０】
着脱可能な取り付け手段には、ホックやボタン、ファスナーなどを使用することが可能である。しかし、着脱の早さ、容易さ、の点から、ループと、ループに掛け外しされるフックとを有する２部材から成る面ファスナーを使用することが、最も適している。この面ファスナーにはいわゆるマジックテープ（クラレ社製の面ファスナーの商品名）として知られているものがある。取り付け手段は、２部材の内、蓋本体に設けられる方の部材を延長し、延長部分を着脱操作のための操作片とすることができる。前記の面ファスナーを取り付け手段に用いれば、面ファスナーの２部材のうちの１方の部材を長く形成するだけ
で、延長部分がそのまま操作片になる。なお、操作片は一部だけでなく、全部に設けても良い。
【考案の効果】
【００１１】
本考案は以上の如く構成されているので、組み立てラインのライン際のような限られたスペースでもスムーズに蓋の開閉を行うことができ、かつ折り曲げ部により隙間を閉じて密閉性を高めることができ、さらに柔軟性と弾力性を備えたシート状素材から成るので、収納物品を損傷するおそれが少ないという効果を奏する。またシート状素材から成る蓋であるので薄く、保管時のスペースを節減でき、しかもプラスチック段ボール製と比較して軽量な柔軟性蓋装置を提供することができる。
【考案を実施するための最良の形態】
【００１２】
以下図示の実施形態を参照して本考案をより詳細に説明する。図１は本考案に係る通い箱等の柔軟性蓋装置１０の１例を示すもので、部品、器具その他の物品を収納する箱本体１１と、その上面に設けられている開口１２を閉じるための蓋装置１０を図示しており、箱本体１１は複数個を段積みすることができる構造を有している。
【００１３】
箱本体１１は、プラスチック段ボール製のもので、所要の形状に打ち抜かれたブランクを折り曲げ、要所をステープル止めするか或いは接着するなどの手段、方法によって箱型に組み立てられている。また開口１２の縁はプラスチック製の縁枠１３を取り付けて補強してあり、さらに４つの角に、内側に段を有するコーナー部材１４を取り付けて、前記の段積みを確実なものにしている。しかし、このコーナー部材１４のない箱本体１０にも本考案を適用することができる。箱本体１１の内部には、仕切り枠１５を配置することができる。
【００１４】
本考案の蓋装置１０は、箱本体１１の開口１２を覆える大きさと形状を有する蓋本体１６を有しており、この蓋本体１６は、柔軟性と弾力性を備えたシート状素材によって形成されている。例示した蓋本体１６は柔軟性シート１７と、弾力性シート１８とを接着により一体化した構造のもので、柔軟性シート１７は、プラスチックフィルムを裁断した素材を平織りした編織シート構造を有しており、引っ張り強度や引き裂き強度の強い強靭な性状を発揮し、また弾力性シート１８はプラスチック製のスポンジ状構造を有しており、弾力性を発揮する。柔軟性シート１７は０．５〜１ｍｍ程度の厚さであり、弾力性シート１８は１〜２ｍｍ内外の厚さであるので、合計しても１．５〜３ｍｍの範囲の厚さに収ま
り、従来のプラスチック成形製品より成る蓋の厚さが４〜６ｍｍであるのと比較すると、ほぼ２分の１ほどの厚さに収まり保管時のスペース節減に寄与する。
【００１５】
蓋本体１６の相対する２辺部には、箱本体１１の開口１２の外側面１９に達する折り曲げ部２１、２２を設ける。この折り曲げ部２１、２２は、箱本体１１の開口１２を覆える大きさ、形状を有する蓋本体１１の長辺の２辺部に設けられているので、開口１２との間に隙き間はなくなり、短辺の２辺部では折り曲げてはいないけれども開口１２が覆われているので箱内部に対する密閉性は著しく向上する。
【００１６】
蓋本体１６の折り曲げ部２１、２２を取り付け手段２０を用いて箱本体１１に固定可能とするために、本考案では、ループを有する一方の部材２３と、ループに掛け外し可能なフックを有する他方の部材２４の２部材から成る面ファスナーを適用する。この面ファスナーは、一方の部材２３を例えば箱本体１１の外側面にリベット止め等の取り付け手段によって固着し、他方の部材２４を例えば蓋本体１６の折り曲げ部２１、２２に縫製によって固着するなどして、絶対に剥がれないようにする。図１及び図２に示す蓋本体１６で
は、蓋本体側に設けた他方の部材２４の一部を延長し、延長部分を着脱操作のための操作片２５としている。
【００１７】
図３は、図１、図２と同じ構成及び構造を有するが、より横長大型の蓋装置１０を示す平面図である。従って蓋面には弾力性シート１８が表れている。同じ構成については符号を援用し、詳細な説明は繰り返さない。図４は、図１の蓋装置１０の変形例である。図４Ａのものは短辺部にも折り曲げ部２６、２７を設けるとともに、取り付け手段（他方の部材２４の符号を用いて示す。）を縫製により固着した変形例１を示す。図４Ｂのものは、短辺部に折り曲げ部２１、２２、２６、２７のみ設けて取り付け手段を設けない変形例２を示す。また図４Ｃのものは、全４辺に折り曲げ部２１、２２、２６、２７を設けるとともに、取り付け手段の全部に延長片２５を設けた変形例３を示す。
【００１８】
このように、本考案の蓋装置１０は、柔軟で弾力性があり、しかも、折り曲げ部２１、２２、２６、２７にて箱本体１１との隙き間が閉じられ、取り付け手段により密閉性を維持することができるので、開口上にスペースがなくても開閉可能であり、しかも閉じたときには有効な密閉性が得られる。用途は広汎であるが、特に生産現場などにおける通い箱として有効である。
【図面の簡単な説明】
【００１９】
【図１】本考案に係る通い箱等の柔軟性蓋装置の１例を示す斜視図。
【図２】図１の蓋装置の平面図。
【図３】図１の変形例を示す平面図。
【図４】本考案の他の例を示すもので、Ａ、Ｂ及びＣは変形例１、２及び３を示す斜視図。
【符号の説明】
【００２０】
１０  本考案の蓋装置
１１  箱本体
１２  開口
１３  縁枠
１４  コーナー部材
１５  仕切り枠
１６  蓋本体
１７  柔軟性シート
１８  弾力性シート
１９  外側面
２０  取り付け手段
２１、２２、２６、２７  折り曲げ部
２３  一方の部材
２４  他方の部材
２５  操作片
【図１】
0003116074.tif 000003
【図２】
0003116074.tif 000004
【図３】
0003116074.tif 000005
【図４】
0003116074.tif 000006